(57)【特許請求の範囲】
【請求項１】
ブロック状の本体部を備え、その本体部が、床を形成するとともに配線溝を形成するよう、所定間隔をおいて基礎床面に配置される、配線用床材と、可撓性を備えた床材連結用シールとからなり、
前記配線用床材は、前記配線溝側に突出する突出片を備え、
前記突出片は、隣合って設置される一方の前記配線用床材の突出片が、他方の前記配線用床材と衝突すると、その衝突によって曲がるように、形成され、
前記床材連結用シールは、前記一方の配線用床材の突出片と、前記他方の配線用床材とに架け渡されるようにして貼り付けられる、床構造。
【請求項２】
請求項１に記載の床構造において、
前記一方の配線用床材の突出片と、前記他方の配線用床材との間に隙間が設けられてなる、床構造。
【請求項３】
ブロック状の本体部を備え、その本体部が、床を形成するとともに配線溝を形成するよう、所定間隔をおいて基礎床面に配置される、配線用床材と、可撓性を備えた床材連結用シールとからなり、
前記配線用床材は、前記配線溝側に突出する突出片を備え、
隣合って設置される一方の前記配線用床材の突出片と、他方の前記配線用床材との間に隙間が設けられ、
前記床材連結用シールは、前記一方の配線用床材の突出片と、前記他方の配線用床材とに架け渡されるようにして貼り付けられる、床構造。
【請求項４】
請求項２または３に記載の床構造において、
前記床材連結用シールは、前記隙間に位置合わせされる目印を備えてなる、床構造。
【請求項５】
ブロック状の本体部を備え、その本体部が、床を形成するとともに配線溝を形成するよう、所定間隔をおいて基礎床面に配置される配線用床材における、隣合って設置される一方の前記配線用床材の、前記配線溝側に突出する突出片と、他方の前記配線用床材とに、架け渡されるようにして貼り付けられて、
前記配線用床材の熱膨張に伴う前記配線溝幅の縮小に追従することができる、可撓性を備えた床材連結用シール。
【請求項６】
請求項５に記載の床材連結用シールにおいて、
前記配線用床材の熱収縮に伴う前記配線溝幅の拡大に追従するように伸びる、床材連結用シール。
【請求項７】
ブロック状の本体部を備え、その本体部が、床を形成するとともに配線溝を形成するよう、所定間隔をおいて基礎床面に配置される、配線用床材であって、
前記本体部の側壁の下端部分から前記配線溝側に突出して、隣合って設置される他の配線用床材に当接する、突出片を備え、
前記突出片は、前記他の配線用床材と衝突すると、その衝突によって曲がるように形成されてなる、配線用床材。
【発明の詳細な説明】
【０００１】
【発明の属する技術分野】
この発明は、気温が上昇した場合であっても、床が反り上がるのを防ぐことができる、床構造、床材連結用シール、および配線用床材に関するものである。
【０００２】
【従来の技術】
従来、床構造として、例えば、実公平４−３６３５１号に示されるものがあった。この床構造２１における配線用床材２２は、図１３に示されるように、方形のブロック部２２ａと、そのブロック部２２ａの下縁全周から側方に鍔状に延びる張出部２２ｂとからなっていた。そして、この配線用床材２２は、隣合う配線用床材２２、２２の張出部２２ｂ、２２ｂが互いに突き合わされるようにして、位置決めされて設置された。そして、こうして突き合わされる張出部２２ｂによって離れて配置されるブロック部２２ａ、２２ａ間は、ケーブルを収容する配線溝２３となっていた。そして、この配線溝２３は、ケーブルの収容後に、配線溝２３を挟むブロック部２２ａ、２２ａの上縁に架け渡されるようにして載置される蓋材２４、２４によって覆われた。
【０００３】
【発明が解決しようとする課題】
ところで、前記従来の床構造２１にあっては、例えば、夏冬等の気温の変化に対応することが困難であった。すなわち、床構造２１における配線用床材２２は、気温の変化により、膨張したり収縮したりした（例えば、ポリエチレン製５０ｃｍ角のブロック状床材においては、２０℃の温度差により、一辺長が、１ｍｍ程度変化することとなる）。従って、例えば、冬期に、配線用床材２２を、隣合う配線用床材２２、２２の張出部２２ｂ、２２ｂどうしを互いに突き合わせることで位置決めして設置すると、夏期には、これら配線用床材２２、２２が膨張して、これら配線用床材２２、２２によって形成される床が反り上がってしまうという問題があった。
【０００４】
また、前記従来の床構造２１にあっては、各配線用床材２２、２２は、連結されることなく独立して配置されたため、互いにずれたり離れたりすることもあった。
【０００５】
この発明は、上記した従来の欠点を解決するためになされたものであり、その目的とするところは、気温が上昇した場合であっても、床が反り上がるのを防ぐことができる、床構造、床材連結用シール、および配線用床材を提供することにある。
【０００６】
また、他の目的は、隣合う配線用床材が互いにずれたり離れたりするのを規制することができる、床構造および床材連結用シールを提供することにある。
【０００７】
【課題を解決するための手段】
この発明に係る床構造、床材連結用シール、および配線用床材は、前記目的を達成するために、次の構成からなる。すなわち、
請求項１に記載の発明に係る床構造は、配線用床材と、可撓性を備えた床材連結用シールとからなる。ここで、前記配線用床材は、ブロック状の本体部を備え、その本体部が、床を形成するとともに配線溝を形成するよう、所定間隔をおいて基礎床面に配置される。また、前記配線用床材は、前記配線溝側に突出する突出片を備える。また、前記突出片は、隣合って設置される一方の前記配線用床材の突出片が、他方の前記配線用床材と衝突すると、その衝突によって曲がるように、形成される。そして、前記床材連結用シールは、前記一方の配線用床材の突出片と、前記他方の配線用床材とに架け渡されるようにして貼り付けられる。
【０００８】
こうして、床材連結用シールが、隣合って設置される一方の前記配線用床材の、前記配線溝側に突出する突出片と、他方の前記配線用床材とに、架け渡されるようにして貼り付けられることで、これら配線用床材は、互いに位置決めされて、配線溝が確実に確保される。そして、この配線用床材が、気温の上昇により膨張した場合には、配線溝幅の縮小により、一方の配線用床材の突出片が、他方の配線用床材と衝突し、その衝突によって突出片は曲がる。従って、この配線用床材の熱膨張を、衝突によって曲がる突出片により吸収することができる。また、このとき床材連結用シールは、可撓性を備えており、屈曲または湾曲することで、配線溝幅の縮小による前記突出片の曲がりに追従することができる。なお、ここで床材連結用シールは、一方の配線用床材の突出片と、他方の配線用床材の本体部とに、架け渡されるようにして貼り付けられてもよく、また、一方の配線用床材の突出片と、他方の配線用床材の突出片とに、架け渡されるようにして貼り付けられてもよい。
【０００９】
また、請求項２に記載の発明に係る床構造のように、請求項１に記載の床構造において、前記一方の配線用床材の突出片と、前記他方の配線用床材との間に隙間が設けられてもよい。これにより、配線用床材が、気温の上昇により膨張した場合には、配線溝幅の縮小により、一方の配線用床材の突出片と、他方の配線用床材との間の隙間が、狭まり、そして、一方の配線用床材の突出片が、他方の配線用床材と衝突し、その衝突によって突出片は曲がる。従って、この配線用床材の熱膨張を、前記隙間によって吸収するとともに、衝突によって曲がる突出片により吸収することができる。また、このとき床材連結用シールは、可撓性を備えており、屈曲または湾曲することで、配線溝幅の縮小による前記隙間の狭まりや前記突出片の曲がりに追従することができる。
【００１０】
また、請求項３に記載の発明に係る床構造は、配線用床材と、可撓性を備えた床材連結用シールとからなる。ここで、前記配線用床材は、ブロック状の本体部を備え、その本体部が、床を形成するとともに配線溝を形成するよう、所定間隔をおいて基礎床面に配置される。また、配線用床材は、前記配線溝側に突出する突出片を備える。また、この床構造は、隣合って設置される一方の前記配線用床材の突出片と、他方の前記配線用床材との間に隙間が設けられる。そして、前記床材連結用シールは、前記一方の配線用床材の突出片と、前記他方の配線用床材とに架け渡されるようにして貼り付けられる。
【００１１】
こうして、床材連結用シールが、隣合って設置される一方の前記配線用床材の、前記配線溝側に突出する突出片と、他方の前記配線用床材とに、架け渡されるようにして貼り付けられることで、これら配線用床材は、互いに位置決めされて、配線溝が確実に確保される。そして、この配線用床材が、気温の上昇により膨張した場合には、配線溝幅が縮小し、一方の配線用床材の突出片と、他方の配線用床材との間の隙間が、狭まる。従って、この配線用床材の熱膨張を、前記隙間によって吸収することができる。また、このとき床材連結用シールは、可撓性を備えており、屈曲または湾曲することで、配線溝幅の縮小による前記隙間の狭まりに追従することができる。なお、ここで床材連結用シールは、一方の配線用床材の突出片と、他方の配線用床材の本体部とに、架け渡されるようにして貼り付けられてもよく、また、一方の配線用床材の突出片と、他方の配線用床材の突出片とに、架け渡されるようにして貼り付けられてもよい。
【００１２】
また、請求項４に記載の発明に係る床構造のように、請求項２または３に記載の床構造において、前記床材連結用シールは、前記隙間に位置合わせされる目印を備えてもよい。これにより、この床材連結用シールの目印と、前記隙間が合うようにして、この床材連結用シールを、一方の配線用床材の突出片と、他方の配線用床材とに架け渡すようにして貼り付ければ、前記隙間が所要の間隔に保たれる。
【００１３】
また、請求項５に記載の発明に係る床材連結用シールは、ブロック状の本体部を備え、その本体部が、床を形成するとともに配線溝を形成するよう、所定間隔をおいて基礎床面に配置される配線用床材における、隣合って設置される一方の前記配線用床材の、前記配線溝側に突出する突出片と、他方の前記配線用床材とに、架け渡されるようにして貼り付けられる。そして、床材連結用シールは、可撓性を備えたシールであって、前記配線用床材の熱膨張に伴う前記配線溝幅の縮小に追従することができる。
【００１４】
こうして、この床材連結用シールが、隣合って設置される一方の前記配線用床材の、前記配線溝側に突出する突出片と、他方の前記配線用床材とに、架け渡されるようにして貼り付けられることで、これら配線用床材は、互いに位置決めされて、配線溝が確実に確保される。そして、この床材連結用シールは、可撓性を備えており、気温が上昇した場合にも、配線用床材の熱膨張に伴う配線溝幅の縮小に追従できる。なお、ここで床材連結用シールは、一方の配線用床材の突出片と、他方の配線用床材の本体部とに、架け渡されるようにして貼り付けられてもよく、また、一方の配線用床材の突出片と、他方の配線用床材の突出片とに、架け渡されるようにして貼り付けられてもよい。
【００１５】
また、請求項６に記載の発明に係る床材連結用シールのように、請求項５に記載の床材連結用シールにおいて、前記配線用床材の熱収縮に伴う前記配線溝幅の拡大に追従するように伸びるのが望ましい。これにより、配線用床材が、気温が下がることにより収縮した場合には、配線溝幅が拡大し、配線用床材間に架け渡されるようにして貼り付けられる床材連結用シールは、前記配線溝幅の拡大に追従するように伸びる。従って、この床材連結用シールは、伸びることで、気温が下がった場合にも、配線用床材の熱収縮に伴う配線溝幅の拡大に追従できる。
【００１６】
また、請求項７に記載の発明に係る配線用床材は、ブロック状の本体部を備え、その本体部が、床を形成するとともに配線溝を形成するよう、所定間隔をおいて基礎床面に配置される。そして、この配線用床材は、前記本体部の側壁の下端部分から前記配線溝側に突出して、隣合って設置される他の配線用床材に当接する、突出片を備える。さらに、前記突出片は、前記他の配線用床材と衝突すると、その衝突によって曲がるように形成されている。
【００１７】
これにより、この配線用床材は、本体部の側壁の下端部分から配線溝側に突出する突出片が、隣合って設置される他の配線用床材に当接することにより、互いに位置決めされて、配線溝が確実に確保される。そして、この配線用床材が、気温の上昇により膨張した場合には、配線溝幅の縮小により、隣合って設置される他の配線用床材に当接する突出片は、他の配線用床材と衝突して曲がる。従って、この配線用床材の熱膨張を、衝突によって曲がる突出片により吸収することができる。なお、ここで突出片は、隣合って設置される他の配線用床材の本体部に当接してもよく、また、前記他の配線用床材の突出片に当接してもよい。
【００１８】
【発明の実施の形態】
以下、この発明に係る床構造、床材連結用シール、および配線用床材の実施の形態を図面に基づいて説明する。
【００１９】
図１ないし図５は、第一の実施の形態であって、本発明に係る床構造および床材連結用シールを示す。図中符号１は、基礎床面である。２は、基礎床面１に設置される配線用床材である。３は、可撓性を備えた床材連結用シールである。４は、前記配線用床材２と前記床材連結用シール３とからなる床構造である。
【００２０】
ここで、配線用床材２は、例えば、合成樹脂材料からなり、平面視が略正方形で、上面が平らな所定高さの、ブロック状の本体部２ａを備えている。そして、配線用床材２は、この本体部２ａが、床を形成するとともに前後左右に通る配線溝５を形成するよう、所定間隔をおいて基礎床面１に配置される。そして、本体部２ａには、その上面の縁部全周に、帯状に一段下がった段部２ｂが形成されている。
【００２１】
また、配線用床材２は、配線溝５側に突出する突出片２ｃを備えている。この突出片２ｃは、図１および図２に示すように、本体部２ａと一体に樹脂成形されており、配線溝５内に収容されるケーブル６の上方を覆うように、本体部２ａの一辺につきその両端部分における側壁２ｄから、突出片２ｃの上面が段部２ｂから若干下がる位置に、配線溝５側に水平に延びている。そして、隣合って設置される一方の配線用床材２の突出片２ｃと、他方の配線用床材２の突出片２ｃとが、相互に向かい合うように、この突出片２ｃは延びている。このとき、向かい合う突出片２ｃは、その先端部分が、下方に折れ曲がって形成されている。そして、これら突出片２ｃ、２ｃ間に隙間Ｓが設けられる。
【００２２】
さらに、突出片２ｃは、一方の配線用床材２の突出片２ｃが、他方の配線用床材２の突出片２ｃと衝突すると、その衝突によって下方側に曲がるように形成されている。すなわち、突出片２ｃは、基端部分に、下面側が半円状に切り欠かれるようにして、ヒンジとなる薄肉部２ｅが形成されており、突出片２ｃは、この材料の持つ弾性により薄肉部２ｅが湾曲することで、下方側に曲がることができる。
【００２３】
また、配線用床材２には、図１に示すように、その本体部２ａの一辺につきその中央部分の２箇所に、上面側に開口し側壁２ｄに通ずる、鉤状に折れ曲がって延びる係合溝２ｆが形成されている。そして、ケーブル６が配線溝５内に収容された後には、略Ｓ字状に折れ曲がって形成された棒状の連結具７の各先端部分が、それぞれ、隣合って設置される配線用床材２、２の係合溝２ｆ、２ｆに挿入されて係合することで、配線用床材２、２は、互いに連結される。このとき、配線用床材２は、前後左右に2個ずつ並ぶ4個が、連結具７、７によって連結されるが、この4個単位の配線用床材２、２と、隣合う同じく4個単位の配線用床材２、２とは連結具７によっては連結されずに、後に詳述する床材連結用シール３、３によって連結される。その後、配線用床材２、２の上に正方形形状のカーペット８、８が敷かれる。このカーペット８の裏面には、十文字状に蓋板９、９が貼り付けられており、カーペット８、８が配線用床材２、２の上に敷かれたとき、蓋板９、９が、隣合う配線用床材２、２の段部２ｂ、２ｂに架け渡されるようにして、配線溝５の上面側が塞がれる構造となっている。
【００２４】
一方、可撓性を備えた床材連結用シール３は、例えば、塩化ビニル樹脂等からなる。この床材連結用シール３は、図５に示すように、平面視が横長の長方形形状であって、隣合って配置される一方の配線用床材２の突出片２ｃと、他方の配線用床材２の突出片２ｃとに架け渡されるようにして貼り付けられて、配線用床材２、２の熱膨張に伴う配線溝５の溝幅の縮小に追従することができるものとなっている。その上、床材連結用シール３は、その材料の持つ性質により、配線用床材２、２の熱収縮に伴う配線溝５の溝幅の拡大に追従するように伸びることができる。そして、この床材連結用シール３は、前記突出片２ｃ、２ｃ間の隙間Ｓに位置合わせされる目印３ａを備えている。この目印３ａは、前記隙間Ｓとちょうど合うように、床材連結用シール３の左右の中央に、例えば、帯状に白く印刷が施されている。さらに、床材連結用シール３は、裏面に、左右のうちの一方の端部を除く部分に、この床材連結用シール３を突出片２ｃ、２ｃに貼り付けるための粘着材が塗布されている。そして、粘着材が塗布されない一方の端部は、この床材連結用シール３を、突出片２ｃ、２ｃから剥がすときに、指で摘まむことのできる摘み部３ｂとなっている。そして、この摘み部３ｂは、前記目印３ａと同様に、例えば、白く印刷が施されている。
【００２５】
次に、以上の構成からなる床構造４および床材連結用シール３の作用効果について説明する。床材連結用シール３が、隣合って設置される一方の配線用床材２の突出片２ｃと、他方の配線用床材２の突出片２ｃとに、架け渡されるようにして貼り付けられることで、これら配線用床材２、２は、互いに位置決めされて、配線溝５が確実に確保される。そして、このように、床材連結用シール３が、配線用床材２、２間に架け渡されることで、隣合う配線用床材２、２が互いにずれたり離れたりするのを規制することができる。また、このとき、この床材連結用シール３の目印３ａと、前記隙間Ｓが合うようにして、この床材連結用シール３を、一方の配線用床材２の突出片２ｃと、他方の配線用床材２の突出片２ｃとに架け渡すようにして貼り付ければ、前記隙間Ｓが所要の間隔に保たれる。従って、目印３ａにより、隙間Ｓを所要の間隔に保つことができ、配線用床材２、２の、所定位置への配置が容易となる。
【００２６】
そして、この床材連結用シール３は、可撓性を備えており、気温が上昇した場合にも、配線用床材２、２の熱膨張に伴う配線溝５の溝幅の縮小に追従できる。すなわち、気温の上昇によって配線溝５の溝幅が縮小すると、一方の配線用床材２の突出片２ｃと、他方の配線用床材２の突出片２ｃとの間の隙間Ｓが、狭まって、それら突出片２ｃ、２ｃが当接し（図３参照）、さらには、それら突出片２ｃ、２ｃが、衝突し、その衝突によって突出片２ｃ、２ｃは下方側に曲がる（図４参照）。従って、これら配線用床材２、２の熱膨張を、前記隙間Ｓによって吸収するとともに、衝突によって下方側に曲がる突出片２ｃ、２ｃにより吸収することができ、床が反り上がるのを防ぐことができる。また、このとき床材連結用シール３は、可撓性を備えており、屈曲または湾曲することで、配線溝５の溝幅の縮小による前記隙間Ｓの狭まりや前記突出片２ｃ、２ｃの曲がりに追従することができる。
【００２７】
さらに、配線用床材２、２が、気温が下がることにより収縮した場合には、配線溝５の溝幅が拡大し、配線用床材２、２間に架け渡されるようにして貼り付けられる床材連結用シール３は、配線溝５の溝幅の拡大に追従するように伸びる。従って、この床材連結用シール３は、伸びることで、気温が下がった場合にも、配線用床材２、２の熱収縮に伴う配線溝５の溝幅の拡大に追従することができ、また、こうして配線溝５の溝幅の拡大が吸収される。
【００２８】
図６および図７は、第二の実施の形態であって、本発明に係る配線用床材を示す。この第二の実施の形態においては、第一の実施の形態と比較すると、床材連結用シール３が用いられず、また、後述する突出片１１ｃは、第一の実施の形態の突出片２ｃとはその構造が異なるが、他はほぼ同一であり、以下に、その異なる部分を主に説明する。
【００２９】
この実施の形態においては、第一の実施の形態と同様に、配線用床材１１は、ブロック状の本体部１１ａを備え、その本体部１１ａが、床を形成するととともに配線溝５を形成するよう、所定間隔をおいて基礎床面１に配置され、また、本体部１１ａには、その上面の縁部全周に、帯状に一段下がった段部１１ｂが形成されている。そして、配線用床材１１に備わる突出片１１ｃは、図６に示すように、第一の実施の形態とは異なり、本体部１１ａの側壁１１ｄの下端部分から配線溝５側に突出して、隣合って設置される他の配線用床材１１の突出片１１ｃに当接する。この突出片１１ｃは、本体部１１ａと一体に樹脂成形されて、配線溝５側に水平に延びており、配線溝５内に収容されるケーブル６は、この突出片１１ｃの上に配索されることとなる。そして、突出片１１ｃは、その先端部分が、上面側ほど突き出るような傾斜面となって、先細に形成されている。
【００３０】
さらに、突出片１１ｃは、隣合って設置される他の配線用床材１１の突出片１１ｃと衝突すると、その衝突によって上方側に曲がるように形成されている（図７参照）。すなわち、突出片１１ｃは、基端部分に、上面側が半円状に切り欠かれるようにして、ヒンジとなる薄肉部１１ｅが形成されており、突出片１１ｃは、この材料の持つ弾性により薄肉部１１ｅが湾曲することで、上方側に曲がることができる。
【００３１】
また、配線用床材１１は、第一の実施の形態と同様にして、前後左右に２個ずつ並ぶ４個が、連結具７、７によって連結される。なお、図６および図７は、連結具７、７によって連結されていない、４個単位の床材１１、１１と、隣合う同じく４個単位の床材１１、１１との間の配線溝５部分を示している。
【００３２】
次に、以上の構成からなる配線用床材１１の作用効果について説明する。この配線用床材１１は、図６に示すように、本体部１１ａの側壁１１ｄの下端部分から配線溝５側に突出する突出片１１ｃが、隣合って設置される他の配線用床材１１の突出片１１ｃに当接することにより、互いに位置決めされて、配線溝５が確実に確保される。そして、これら配線用床材１１、１１が、気温の上昇により膨張した場合には、図７に示すように、配線溝５の溝幅の縮小により、隣合って設置される他の配線用床材１１の突出片１１ｃに当接する突出片１１ｃは、他の配線用床材１１の突出片１１ｃと衝突して、上方側に曲がる。同様にして、他の配線用床材の１１突出片１１ｃもまた、上方側に曲がる。従って、これら配線用床材１１、１１の熱膨張を、衝突によって上方側に曲がる突出片１１ｃ、１１ｃにより吸収することができる。また、この突出片１１ｃは、本体部１１の側壁１１ｄの下端部分から配線溝５側に突出しているので、この突出片１１ｃが、ケーブル６の配索の妨げとなることはない。
【００３３】
なお、本発明は、上述した実施の形態に限定されるわけではなく、その他種々の変更が可能である。例えば、第一の実施の形態において、突出片２ｃは、一方の配線用床材２の突出片２ｃが、他方の配線用床材２の突出片２ｃと衝突すると、下方側に曲がるように形成されているが、反対に、この突出片２ｃを側壁２ｄの下端部分等から突出させることで上方側に曲がるように形成されてもよく、また、場合によっては、側方側に曲がるように形成されてもよい。また、突出片２ｃは、本体部２ａの一辺につきその両端部分に設けられなくとも、本体部２ａの隅角部において、二辺にまたがるようにして、例えば側壁２ｄの下端部分に、Ｌ字状に設けられてもよい。
【００３４】
また、第一の実施の形態において、床材連結用シール３は、一方の配線用床材２の突出片２ｃと、他方の配線用床材２の突出片２ｃとに、架け渡されるようにして貼り付けられているが、その他に、一方の配線用床材２の突出片２ｃを配線溝５側に長く突出させることで、その突出片２ｃと、他方の配線用床材２の本体部２ａとに、架け渡されるようにして貼り付けられてもよい。
【００３５】
また、第一の実施の形態において、突出片２ｃが曲がるように形成されているだけでなく、突出片２ｃ、２ｃ間に隙間Ｓが設けられているが、突出片２ｃが曲がるように形成されるのであれば、隙間Ｓは特に設けられなくともよい。
【００３６】
また、反対に、第一の実施の形態において、隙間Ｓが確保されるのであれば、突出片２ｃを変形不能に設けてもよい。図８ないし図１０は、その一実施の形態を示すものであり、本体部２ａの側壁２ｄの下端部分から配線溝５側に突出する突出片２ｃは、本体部２ａと一体の剛体となっている。そして、床材連結用シール３には、摘み部３ｂは、設けられていない。ここで、図８は、平らな床材連結用シール３を、突出片２ｃ、２ｃ間に貼り付けた状態を示し、図９は、図８の状態から気温が上昇して、配線用床材２、２が膨張し、床材連結用シール３の、隙間Ｓに対応する中央が湾曲しているところを示す。このように、気温が上昇した場合には、配線用床材２、２の熱膨張による配線溝５の溝幅の縮小が、隙間Ｓによって吸収され、また、気温が下がった場合には、配線用床材２、２の熱収縮による配線溝Ｓの溝幅の拡大が、床材連結用シール３の伸びによって吸収される。また、図１０は、中央に蛇腹状の屈曲部Ｋが設けられた床材連結用シール３を、突出片２ｃ、２ｃ間に貼り付けた状態を示す。この実施の形態においては、床材連結用シール３は、厚く硬めに形成されているため、伸びは期待できないが、屈曲部Ｋが変形することで、気温が上昇したり下がったりした場合の、配線溝５の溝幅の縮小や拡大に追従することができる。さらに、この実施の形態においては、床材連結用シール３に、目印３ａは設けられていないが、床材連結用シール３の各端が、隣合って設置される配線用床材２、２の側壁２ｄ、２ｄにそれぞれ当接することで、これら配線用床材２、２は位置決めされる。
【００３７】
また、第一の実施の形態において、床材連結用シール３は、ケーブル６の配索後に、初めて突出片２ｃ、２ｃに貼り付けられてもよいが、その他に、配線用床材２、２を配置する際に、床材連結用シール３を突出片２ｃ、２ｃに貼り付けて、配線用床材２、２を位置決めし、その後、ケーブル６を配索する際に、床材連結用シール３を、一旦剥がし、ケーブル６の配索後に再度貼り付けてもよい。
【００３８】
また、第一の実施の形態において、床材連結用シール３の目印３ａは、印刷でなくとも、例えば、切り欠き等であってもよい。
【００３９】
また、第二の実施の形態において、突出片１１ｃは、隣合って設置される他の配線用床材１１の突出片１１ｃと衝突すると、その衝突によって上方側に曲がるように形成されているが、側方側に曲がるように形成されてもよい。また、突出片１１ｃは、本体部１１ａの一辺につきその両端部分に設けられなくとも、本体部１１ａの隅角部において、二辺にまたがるようにして、Ｌ字状に設けられてもよい。
【００４０】
また、第二の実施の形態において、突出片１１ｃは、隣合って設置される他の配線用床材１１の突出片１１ｃに当接するが、その他に、突出片１１ｃを配線溝５側に長く突出させることで、その突出片１１ｃが、隣合って設置される他の配線用床材１１の本体部１１ａに当接してもよい。図１１および図１２は、その一実施の形態を示すものであり、隣合って設置される他の配線用床材１１の本体部１１ａに当接する突出片１１ｃは、基端部分に、ヒンジとなる薄肉部１１ｅが形成されているだけでなく、中央部分にも、ヒンジとなる薄肉部１１ｆが形成されている。ここで、図１１は、配線用床材１１、１１を基礎床面１に配置したときの状態を示し、図１２は、気温が上昇して、配線用床材１１、１１が膨張した状態を示す。
【００４１】
また、第一および第二の実施の形態において、突出片２ｃ、１１ｃは、ヒンジとなる薄肉部２ｅ、１１ｅが湾曲することで、下方側または上方側に曲がるが、薄肉部２ｅ、１１ｅを設けることなく全体を薄くして、その全体が湾曲することで、下方側または上方側に曲がるものであってもよい。また、突出片２ｃ、１１ｃは、本体部２ａ、１１ａと一体に成形されなくとも、別体に成形されて、これら本体部２ａ、１１ａと突出片２ｃ、１１ｃとをヒンジによって連結してもよい。また、突出片２ｃ、１１ｃは、本体部２ａ、１１ａの一辺につきその一部から突出しなくとも、その全体から突出する等、その形状は、本発明の趣旨を逸脱しない範囲で、適宜定めることができる。
【発明の効果】
以上、詳述したところから明らかなように、この発明に係る床構造、床材連結用シール、および配線用床材によれば、次の効果がある。
請求項１に記載された床構造によれば、気温が上昇した場合であっても、配線用床材の熱膨張を、衝突によって曲がる突出片により吸収することができるので、床が反り上がるのを防ぐことができる。さらに、床材連結用シールが、配線用床材間に架け渡されることで、隣合う配線用床材が互いにずれたり離れたりするのを規制することができる。
また、請求項２に記載された床構造によれば、加えて、気温が上昇した場合であっても、配線用床材の熱膨張を、衝突によって曲がる突出片により吸収することができるだけでなく、隙間によっても吸収することができるので、床が反り上がるのを一層効果的に防ぐことができる。
また、請求項３に記載された床構造によれば、気温が上昇した場合であっても、配線用床材の熱膨張を、隙間によって吸収することができるので、床が反り上がるのを防ぐことができる。さらに、床材連結用シールが、配線用床材間に架け渡されることで、隣合う配線用床材が互いにずれたり離れたりするのを規制することができる。
また、請求項４に記載された床構造によれば、加えて、一方の配線用床材の突出片と他方の配線用床材との間の隙間を、所要の間隔に保つことで、配線用床材の、所定位置への配置が容易となる。
また、請求項５に記載された床材連結用シールによれば、気温が上昇した場合であっても、配線用床材の熱膨張に伴う配線溝幅の縮小に追従できるので、床が反り上がるのを防ぐことができる。さらに、この床材連結用シールが、配線用床材間に架け渡されることで、隣合う配線用床材が互いにずれたり離れたりするのを規制することができる。
また、請求項６に記載された床材連結用シールによれば、気温が下がった場合であっても、配線用床材の熱収縮に伴う配線溝幅の拡大に追従することができる。
また、請求項７に記載された配線用床材によれば、気温が上昇した場合であっても、配線用床材の熱膨張を、衝突によって曲がる突出片により吸収することができるので、床が反り上がるのを防ぐことができる。
【図面の簡単な説明】
【図１】第一の実施の形態を示し、この発明に係る床構造および床材連結用シールの、斜視図である。
【図２】同じく、要部拡大断面図である。
【図３】同じく、気温が上昇したときの、要部拡大断面図である。
【図４】同じく、気温がさらに上昇したときの、要部拡大断面図である。
【図５】同じく、床材連結用シールの拡大平面図である。
【図６】第二の実施の形態を示し、この発明に係る配線用床材の、要部拡大断面図である。
【図７】同じく、気温が上昇したときの、要部拡大断面図である。
【図８】第一の実施の形態の変形例を示す、要部拡大断面図である。
【図９】同じく、気温が上昇したときの、要部拡大断面図である。
【図１０】第一の実施の形態の他の変形例を示す、要部拡大断面図である。
【図１１】第二の実施の形態の変形例を示す、要部拡大断面図である。
【図１２】同じく、気温が上昇したときの、要部拡大断面図である。
【図１３】従来の床構造を示す斜視図である。
【符号の説明】
１  基礎床面                  ２  配線用床材
２ａ  本体部                  ２ｃ  突出片
３  床材連結用シール          ３ａ  目印
４  床構造                    ５  配線溝
１１  配線用床材              １１ａ  本体部
１１ｃ  突出片                １１ｄ  側壁
Ｓ  隙間
【図１】
0003697126.tif 000002
【図２】
0003697126.tif 000003
【図３】
0003697126.tif 000004
【図４】
0003697126.tif 000005
【図５】
0003697126.tif 000006
【図６】
0003697126.tif 000007
【図７】
0003697126.tif 000008
【図８】
0003697126.tif 000009
【図９】
0003697126.tif 000010
【図１０】
0003697126.tif 000011
【図１１】
0003697126.tif 000012
【図１２】
0003697126.tif 000013
【図１３】
0003697126.tif 000014